(57)【要約】【目的】消しゴムについた汚れをたやすく落とすことの他、絵、文字などを表布面や裏張りに載せることにより、持つ楽しみ、企業などの宣伝、販促効果をあげる付加価値をつけることに寄与する。【構成】平織りの布を芯となる厚紙、木板、プラスチック板に貼り付け、余分の布を芯の裏側へ折り返し、その上に裏張りをする物であり、表布に消しゴムをこすりつけて汚れを落とす。布の織り目の凹凸が程よく汚れを落とし、消しゴムを削り過ぎず無駄な消耗を避ける。また表や裏に絵や文字を載せ、持って楽しく、企業などの宣伝、販促効果が期待でき、本来の使用目的に付加価値をつけることが出来る。【選択図】  図１
2004345337.tif 000002
【特許請求の範囲】
【請求項１】
筆箱に入る大きさが望ましいが、形、大きさを定めない平織り布の裏側に糊、または粘着材を塗り、上記布より小さいサイズの厚さを定めない厚紙または、木板、プラスチック板を芯として布の中央より張り合わせ、周囲の余分の布端を上記芯となる厚紙、木板、プラスチック板の裏側へ折り返し、布の２重になる部分は切り取り張り合わせたものを本体とし、その本体の布の折り返し線より１ｍｍ前後本体裏側中心へ入り込んだ大きさの紙又は紙状のプラスチックのシートで裏張りをした物。尚、布は無地、柄物を問わない。
【請求項２】
「請求項１」の本体裏面の、布折り返し部分及び裏張り全面又は一部分に磁石を貼りつけたもの。裏側全面に貼り付ける場合、裏張りは無くても良い。
【請求項３】
「請求項１」本体の厚紙又は、木板、プラスチック板に張られた表布及び裏張りにタレントや漫画のキャラクターの絵や写真、また絵、自然や動植物の絵や写真、文字、数字、記号等を載せたもの。
【請求項４】
請求項１の本体裏面、布折り返し部分及び裏張り全面に粘着剤を塗りその上にはがせるプラスチック性のシートを貼りシールにした物。
【請求項５】
形、大きさを定めないが平織り布の裏側に粘着性のものを塗り、その上にはがせるプラスチック性のシートを貼り、シールにした物。尚、上記布の外周にあたる縁は布または他の素材による縁取りをしたり、バイアステープをつけたり、またはゴム性の物やボンド等を塗りつけ糸のほつれを防いでも良い。尚、布は無地、柄物を問わない。
【請求項６】
請求項５のシールにした物の表布に、タレントや漫画のキャラクターの絵や写真、又、絵、自然や動植物の絵や写真、文字、数字、記号等を載せたもの。
【請求項７】
請求項４、請求項５のシールにした物を貼り付けた筆箱、ノートや手帳の表紙などの文房具類。
【発明の詳細な説明】
【０００１】
【産業上の利用分野】消しゴムの汚れ落としに関する。
【０００２】
【従来の技術】消しゴムの汚れを落とす物は特に無く、机の台や紙にこすりつけたり、ナイフで削ったりして汚れを落とした。
尚、この出願の発明に関連する先行技術文献情報としては特許文献１が知られている。
【特許文献１】
特開２００１−２０５９８６
【０００３】
【発明が解決しようとする課題】汚れた消しゴムの汚れを落とすものは、現在市場には出回っていないのか見当たらず、消しゴムをきれいにするにはナイフで削ったり机の台や紙にこすったりして汚れを落とした。かなり力を入れてこすらないときれいにならず、紙が消しゴムと一緒に動いて、敗れてしまうこともあった。
【０００４】
【課題を解決するための手段】
上記課題を解決するために、請求項１のように、大きさ、形は定めないが平織り布の裏側に糊、または粘着剤を塗り上記布より小さいサイズの厚さを定めない厚紙、木板、プラスチック板を芯として中央より貼り会わせ、周囲の布端を上記芯の厚紙、木板、プラスチック板の裏側へ折り返し、布の２重になる部分は切り取り上記芯に張り合わせた本体の、表布の折り返し線より裏側中心へ１ｍｍ前後入り込んだ大きさの紙又は紙状プラスチックシートで裏張りをした物を備えたことにある。  また請求項２のように、上記請求項１の本体の裏面に磁石を貼りつけたものを備えたことにある。
【０００５】
請求項３のように、表布の面にタレントや漫画のキャラクターの絵や写真、また絵、自然や動植物の絵や写真、文字、数字、記号などを載せたもの、また裏張りの面にタレントや漫画のキャラクターの絵や写真、絵、自然や動植物の絵や写真、文字、数字、記号などを載せたものを備えたことによる。
【０００６】
請求項４のように、請求項１の本体の裏面全体に粘着剤を塗り、その上にはがせるプラスチック製のシートを貼りシールにした物を備えたことによる。
【０００７】
請求項５のように、形、大きさを定めないが平織りで織られた布の裏側に直接粘着剤を塗り、その上にはがせるプラスチック性のシートを貼りシールにしたもの、また上記布の外周に、布または他の素材での縁取りやバイアステープを施したもの、またはゴム性の物やボンドを塗りつけ、上記布端の糸のほつれを防いだ物を供えたことによる。また請求項６のように上記布の表面にタレントや漫画のキャラクターの絵や写真、また絵、自然や動植物の絵や写真、文字、数字、記号などを載せたものを備えたことによる。
【０００８】
請求項７のように、請求項４、請求項５のシールになった物を貼り付けた筆箱、ノートや手帳の表紙などの文房具類を備えたことによる。
【０００９】
【発明の作用・効果】
請求項１のように芯に張られた平織りで織られた布の表面で汚れた消しゴムをこすると織り目の凹凸によって力を入れなくても簡単に汚れが落ちる。布は芯の厚紙、木板、プラスチック板に貼り付けられているので消しゴムでこすっても布が動かず、又しわにならないので汚れを落とすのに力を入れなくても良い。尚請求項２のように上記の物の裏面に磁石をつけることにより、垂直な場所にも取り付け、取り外しが出来る。
【００１０】
請求項３、請求項６のように、表布や裏張りに、人気のあるタレント、漫画のキャラクターの絵や写真、また絵、自然や動植物の絵や写真を載せることにより、持つだけで楽しい物になり、文字、数字、記号などで会社名、文、言葉を載せることが出来、大きさを加減し、芯の厚紙、木板、プラスチック板を薄いものにすれば非常に軽い物になり封筒に入るし、消しゴムの汚れを落とすほかに企業の宣伝、郵便での販促効果なども期待できる。
【００１１】
請求項４、請求項５のようにシールにすることにより、好きな場所に貼ることが出来紛失の心配が無くなる。
【００１２】
請求項７のように、シールにした消しゴムの汚れ落としを筆箱や、ノート、手帳の表紙や、画板などに貼り付けることで、貼り付けた文具類の利用価値を高めることが出来る。
【００１３】
【実施例】
以下、実施例を図面を用いて説明する。図１は、平織り布を芯となる厚紙等に貼り合わせた表平面図である。布は糸を交差させ織られており表面は凹凸が出来ており、この面に消しゴムの汚れ面をこすることにより容易に汚れが落ちる。布は芯の板状の物に張り付けられておりこすっても動かず、しわにならず力を入れなくても程よく汚れが落ちるため消しゴムの余分な消耗を避ける。簡単に汚れが落ちるので小さい子供にも安全に使うことが出来る。また布表面の凹凸は汚れが詰まりにくく、くり返し使用が可能である。
【００１４】
形を小さく、芯を薄い物にすれば非常に軽く破損し難くいので、携帯しやすく筆箱の中やカバンに入れ持ち歩いても気にならない。
【００１５】
図１の７は、布面に載せた絵の１例であり、このように人気のタレントや漫画のキャラクターの絵や写真、絵、自然や動植物の絵や写真、文字、数字、記号などを載せることにより、持つだけで楽しい物になり、また企業名、文などを載せお客に渡したり、郵便での販促に使えば宣伝効果、業績アップが期待でき、本来の使用目的に付加価値をつけることが出来る。
【００１６】
図２は、布を芯の板に貼りつけたものの裏側平面図であり、３の裏張りは、折り返した布の始末をきれいにするものである。８は文字を載せた一例をあげている。裏張りに絵、文字を載せることにより表布が柄物であったり、絵、文字等が載せられている場合裏張りにも載せることが出来、企業名を載せ宣伝目的にする場合相手に控えめなイメージを与え好印象を持たれる。
【００１７】
図３の６は裏側に張られた裏張り、磁石、シールの剥がせるシートに当たる物で磁石をつけた場合、鉄製の垂直面、文房具などに貼り付き、紛失を避けられる。また、シールにすれば、好きなところに貼れるし、ノートの表紙、画板、筆箱等文具に貼り付け、利用価値を上げることが出来る。
【００１８】
製作に当たっては、材料は産業界の廃材で出来る物であり、構造もシンプルであるためコストが安く出来、捨てる場合は芯に厚紙、板を使用すれば燃えやすく環境にやさしい物である。
【００１４】
【発明の効果】
芯となる厚紙、木やプラスチックの板に布が張られており、又シールになった物は何かに貼られるので、汚れた消しゴムをこすりつけた場合、布は動かず、しわにもならないのでわずかの力できれいに汚れが落ちる。布は目ずまりしにくく、傷み難く何度でも繰り返し使用が可能である。
小さく軽く出来るので、携帯に都合がよく、筆箱、カバンに入れても気にならず、封筒にも入り、表布面や裏張りに企業名、文、言葉を載せて郵便での販促や宣伝に使えば業績アップに貢献が出来、本来の使用目的の上にさらに付加価値を期待できる。
又表布面に、人気のタレント、漫画のキャラクターの絵や写真、自然や動植物の絵や写真を載せれば持っているだけで楽しい物になる。
シールにした物は好きな場所に貼れるし、筆箱、ノートや手帳の表紙、画板など文房具に貼れば、利用価値が上がる。
産業界の廃材で出来る物であり、構造的にシンプルで製作が簡単であるのでコストが非常に安く出来る。
芯となる板に厚紙、木を使えば捨てる時は燃えやすく環境にやさしい物である。
布の織り目の凹凸が、程よく消しゴムから汚れを落としてくれ、消しゴムを削りすぎず、消しゴムの余分な消耗を避けられる。
【００１５】
【図面の簡単な説明】
【図１】本考案の消しゴムの汚れを落とす本体の表側平面図である。
【図２】同本体の裏側平面図である。
【図３】同本体の断面図である。
【符号の説明】１‥表側布、２‥裏側へ折り返した布、３‥裏張り、
４‥布、５‥芯となる厚紙、木板、プラスチック板、６‥裏張り、磁石、
７‥表布に載せた絵の例、８‥裏張りに載せた文字の例。
【図１】
2004345337.tif 000003
【図２】
2004345337.tif 000004
【図３】
2004345337.tif 000005